(57)【要約】この発明は、鋭利な尖った物体を破壊するために用い、かつ、注射針およびこれに類似した針を自動的に抜く手段を備えた装置に関する。本発明の装置は、２台のモータおよび歯状の車輪に沿って摺動することによって、該歯状の車輪を回転させる鋸歯状の部品により作動する歯状の車輪を含む管（２）を備える。交替で前記歯状の車輪は、ギアを２つの一体の円筒状接点を回転するように動かす。このようにして、針は摩擦手段および電流の流動により破壊される。さらに、前記装置はその中に、換気装置または他のいかなる強制空気システムの用途を必要せず、針の融解によって、生じるガスを排気するために用いる導管を含む。前記装置は、針の破壊動作の一部として、注射器のネジ留めタイプ針を切り離すために用いられる他の管を備える。
2005500140.tif 000002
【特許請求の範囲】
【請求項１】
注射器用の引き出し容器（２）並びに廃棄針用の引き出し容器（３）を有する固定手段または箱を内部に備えたシャシまたは一般構造物（１）から構成される静脈穿刺針等の自動針外し手段を備えた鋭利な物体処理装置であって、その上部に活性炭フィルタ（４）と前記鋭利な物体（４０）の入口用スリット（５）を有する換気装置のないガス排出システムを備え、前記スリット（５）から挿入する場合は、１つまたは２つの電気モータ（６）および（６'）を、その内部に、軸（７）および（８）および電気導体によって、組み込み、針（４０）を溶かすことにより生成されるガスを排気するために、ソリッド接点上部の位置に、管または煙突（３０）を備え、前記管の垂直線に対して４５°で、針をソリッド接点に導く導管として働き、いわゆるネジ留め式と呼ばれる注射器から針を抜く２つの補完的な部品（４１）および（４１'）により形成される管があり、前記部品（４１）および（４１'）により形成される前記管の内側に、螺旋形のトラックまたはレール（４２）を備え、前記トラックは、前記２つの部品（４１）および（４１'）の内側に、出発部分および終わり部分を有し、このように形成された前記管の内側に、前記トラックまたはレール（４２)により創り出される効果のために円筒状部品（４３）は、前記管の内側を垂直に移動し、前記円筒状部品（４３）の内側には、「Ｙ」形状を採用している２つの金属部品（４５）および（４５'）を有し、この部品は２つのばね（４６）および（４６'）の働きによって、前記円筒状部品（４３）の内側で、水平に摺動し、前記円筒状部品（４３）は、注射器による圧力のために補完的な部品（４１）および（４１'）により形成された管内部を移動し、前記円筒状部品(４３)に垂直な下方への回転を与え、逆時計回りの回転を行い、ばね（４７）を有し、部品（４５）および（４５'）は、突出している突起の反対側の端で隣接しており、前記突出している突起はばね（４６）および（４６'）の働きのために、下部に達すると直ちに開口部（４４）および（４４'）に押し付けられるようになっており、前記円筒状部品（４３）に対する針付注射器の圧力が止まり、針（４０）が注射器から抜かれると、ばね（４７）の上方への力により、再び前記円筒状部品（４３）をその停止位置まで上昇させ、このとき前記円筒状部品（４３）は、時計回りの方向と同様の方向に回転し、前記円筒状部品（４３）が注射器（９３）により押圧されている状態では、後者は、下がり、その動きで、歯状部品（９２）をスライドさせ、歯車（９０）を回転させ、かつ、ソリッド接点（２６）および（２７）を回転させる動きを起こすことを特徴とする静脈穿刺針等の自動ネジ外し手段を備えた鋭利な物体処理装置。
【請求項２】
カバー（６０）を備えた容器（２）は、内部にボール紙製容器（７０）を有し、当該容器は、針なしの注射器（９３）がグリップ（６３）を備えたあげ蓋（６２）を通じて挿入されることを特徴とする、請求項１に記載の静脈穿刺針等の自動ネジ外し手段を備えた鋭利な物体処理装置。
【請求項３】
容器（７０）は、好ましくは適切な厚みを有するボール紙またはプラスチック製袋でつくられていることを特徴とする、請求項２に記載の静脈穿刺針等の自動ネジ外し手段を備えた鋭利な物体処理装置。
【請求項４】
１台の機器だけに組み立て、針およびその容器を処理する前述した機構を使用することに加えて、例えば針なしの注射器（９３）などの容器に投棄される廃棄物を殺菌する容器（７２）内部に、オゾンまたは紫外線弁（５５）を有することを特徴とする、請求項１〜３のいずれかに記載の静脈穿刺針等の自動ネジ外し手段を備えた鋭利な物体処理装置。
【発明の詳細な説明】
【技術分野】
【０００１】
本発明は、静脈穿刺針などの自動針外し手段を備えた鋭利な物体処理装置に関し、さらに詳しくは、電力により供給され、かつ、例えば皮下注射針、外科用メスの刃および実際上すぐに単一に用いられる外科用器具をなす他の物体のような鋭利な物体を大規模に処理できる装置に関する。
【０００２】
本発明は、電流により供給される１つまたは２つのモータの協同により作用し、それらの回動接触によって、あるいは、シリンダがその針とともに注射器の圧力のため上または下に動くよう固定されたその上部を連動する部分が前者の上を進む場合、回転する歯車によって、通過する電流により電力を供給される。
【０００３】
本発明は、上昇する被加熱分子を保持するための活性炭フィルタを中で有する導管またはシュートによる針の処理のために内部で生成されるガスの排出を目的とする装置を備えている。
【０００４】
同様に、本発明は静脈穿刺、皮下注射針等が処理されるにつれて作用する注射器に接続している針の自動針外し手段を有する。
【０００５】
機械に固着されたプラスチック容器は、このプラスチック容器内部で入れ替え可能なボール紙容器またはプラスチック製の袋を使用することに加えて、鋭利に切断されていない物体、例えば注射器や綿を殺菌するためのオゾンまたは紫外線弁がある内側に配置される。
【０００６】
（本発明の分野）
出願人は、針が使われる医療センターにおける非自発的な穿刺から発生する複数の欠点、すなわち、後に運搬され焼却されるプラスチック容器を用いる場合と同様に保護材料を用いる場合のまさに明らかに修正されていない欠点の存在について認識している。
【０００７】
出願人は、鋭利な物体が処分されるにつれて、剛性材料の容器には、その内部に鋭利な物体が徐々に堆積する入口が設けられていることを知っている。後には、専門スタッフが、溶解または加圧滅菌によりそれらが大量に処分される施設に運ばれる廃棄物を含むこれらの容器を取り除く。
【０００８】
それらは、行き場のない容器として、換言すれば、金属で製造される処理可能な材料が導入され、時々、これらの要素の新規な除去を行うと、切断または損傷を引き起こす組み込まれた物体が入口の隣に残って変な位置で内側に配置される入口を有することが示されている。
【０００９】
【特許文献１】
出願人は、「ＡＰＡＲＡＴＯ  ＰＡＲＡ  ＬＡ  ＤＥＳＴＲＵＣＣＩＯＮ  ＤＥ  ＡＧＵＪＡＳ  ＨＩＰＯＤＥＲＭＩＣＡＳ  Ｙ  ＤＥ  ＡＤＥＮＯＰＵＮＣＩＯＮ」（針処理装置）に関してヨーロッパ特許ＥＰ−０  ９４７  ２１０の存在を知っている。
【特許文献２】
出願人は、「ＡＰＡＲＡＴＯ  ＰＡＲＡ  ＬＡ  ＤＥＳＴＲＵＣＣＩＯＮ  ＤＥ  ＡＧＵＪＡＳ  ＨＩＰＯＤＳＲＭＩＣＡＳ  Ｙ  ＳＩＭＩＬＡＲＥＳ」（注射針安全処理装置）に関して、同様に米国特許第５，６７６，８５９号の存在を知っている。
【特許文献３】
米国特許番号５，１３８，１２４による、「ＡＰＡＲＡＴＯ    ＰＡＲＡ  ＬＡ  ＤＥＳＴＲＵＣＣＩＯＮ  ＤＥ  ＡＧＵＪＡＳ  ＨＩＰＯＤＥＲＭＩＣＡＳ」（皮下注射針の処理のための装置）は公知である。
【特許文献４】
ＰＣＴ国際出願公開第ＷＯ  ９６／３８２５５号による、「ＡＰＡＲＡＴＯ  ＰＯＲＴＡＴＩＬ  ＰＡＲＡ  ＤＥＳＴＲＵＩＲ  ＡＧＵＪＡＳ」（針の処理のための携帯装置）は公知である。
【特許文献５】
米国特許第５，８５２，２６７号による、「ＡＰＡＲＡＴＯ  ＰＡＲＡ  ＥＬＩＭＩＮＡＲ  ＡＧＵＪＡＳ  ＤＥ  ＩＮＹＥＣＣＩＯＮＥＳ」（注射針安全処理装置）は公知である。
【特許文献６】
米国特許第５，１３８，１２５号による、「ＡＰＡＲＡＴＯ  ＡＬＩＭＥＮＴＡＤＯ  ＰＯＲ  ＥＮＥＲＧＩＡ  ＥＬＥＣＴＲＩＣＡパラグラフＬＡ  ＤＥＳＴＲＵＣＣＩＯＮ  Ｙ  ＥＳＴＥＲＩＬＩＺＡＣＩＯＮ  ＤＥ  ＡＧＵＪＡＳ」（滅菌可能アセンブリを有する電気針処理装置）は公知である。
【特許文献７】
米国特許第５，１８８，５９８号による、「ＡＰＡＲＡＴＯ  Ｙ  ＭＥＴＯＤＯ    ＰＡＲＡ  ＬＡ  ＤＥＳＴＲＵＣＣＩＯＮ  ＤＥ  ＡＧＵＪＡＳ  ＥＶＩＴＡＮＤＯ  ＬＡ  ＣＯＮＴＡＭＩＮＡＣＩＯＮ」（汚染された針を安全に配置するための装置および方法）は公知である。
【特許文献８】
欧州特許第ＥＰ−９１３  １６３号による、「ＡＰＡＲＡＴＯ    ＰＡＲＡ  ＬＡ  ＤＥＳＴＲＵＣＣＩＯＮ  ＤＥ  ＡＧＵＪＡＳ  ＨＩＰＯＤＥＲＭＩＣＡＳ  ＰＯＲ  ＭＥＤＩＯＳ  ＥＬＥＣＴＲＯＭＡＧＮＥＴＩＣＯＳ」（臭気を減少し、安全性を強化し、電磁気のノイズを減らした針処理装置）は公知である。
【００１０】
しかしながら出願人は、針を処理しながら同時に注射器等上の適用領域から、その針を外すことができる発明の現存するかについての知識を有さず、また、本発明、すなわち、特定の厚みを有する交換可能なボール紙容器かプラスチック製の袋が貯蔵部で配置可能であるその内部に対して配置されるプラスチック貯蔵部を有する発明の存在についての知識を同様に有しない。そこにおいて、鋭利でない物体はオゾンまたは紫外線弁によって、後で殺菌されるために配置され、このことにより、鋭利な物体を処理すると、鋭利な物体がすでに処分された時から、注射器をボール紙容器またはプラスチック製の袋に配置することができるので堅いプラスチック容器のコストをかなり減らすことにつながる。
【００１１】
（本発明の説明）
本発明により提案された静脈穿刺針および注射器殺菌システムの自動針外し手段を備えた鋭利な物体処理装置は、それ自体がその適用分野で明白な新規性を有するものとして構成される。その理由は次のことにある。その作動に適切であることを示す特徴とは別に、針を外すために手で針にキャップを付けたり、それを取り除いたりする手による操作を行う必要がなく、注射器からの自動的な針の取り外しを許容し、これにより、偶発的な穿刺を予防する。そして、同時に特定の容器に置くように抜かれた針を処理し、注射器ハウジング容器が、続いて殺菌するために機械の内部に組み込まれている。
【００１２】
より具体的には、静脈穿刺針等の自動針外し手段を備えた鋭利な物体処理装置は、電池と同様の電気的なネットワークからの電力により供給される装置として構成され、容器および第２の容器または鋭利な物体の処理された廃棄物のための容器が、オゾンまたは紫外線弁により殺菌される、注射器のように鋭くない物体の廃棄のために隣接して組み込まれ、かつ、その上部に適切な仕様を有するフィルタが取り付けられるガス排出システム、または換気装置を欠いている導管、または針の処理のための内部に生成されたガスを排出させるシステムを有する。
【００１３】
鋭利な物体の処理は、チューブ構造上に組み込まれるスリットによって、処理される物体を導くことにより行われる。そこにおいて、歯車上に摺動すると、後で回転し、順番に２つの円筒状で強力な接触回転するいくつかの歯車を動かす鋸歯状の部分によって、作動する一対のモーターまたは歯車が固定される。
【００１４】
これらの上述した接触は、ブラシ保持器の中に位置するブラシ、および、次には関連する電線または導体を通して電流により供給される。
【００１５】
本発明は、ソリッド接点が組み立てられる軸のうちの１つの運動を生成する単一のモータの作動によって、鋭利な物体の処理を行うことができる。このように、接点のうちの１つは固定され、そして、モータの回転により作動されるその他の接点は可動である。
【００１６】
これらの軸は、回転による摩擦をプラスした電流通路によって、回転し、かつ、ブラシから電流を受け取るその端部に、針または外科用メスの刃の処理を行う２つのソリッド接点を有する。
【００１７】
装置は内部に、針を処理するために必要な溶解により生成されるガスの排気を可能にするため、ソリッド接点の上部に位置する管または煙突を有する。ガスを排気させる換気装置またはシステムを欠いていると、針の溶解により生ずる熱の効果に起因するガスは、有害な分子の通過を妨げる活性炭フィルタにより、管の上部に留まり、中空のネジ留め式のキャップがその端に配置される管を上昇する。
【００１８】
他の管は、ソリッド接点に針の導管として役立つ垂直な管に４５°で配置される。そこでそれらが処理され、同様に、いわゆる「ネジ留め式の」タイプの注射器から針を抜くための手段を有する。
【００１９】
前記管は、管内部の円筒状部品により実行される回転に従い、両側にまたは一方において、開始しかつ終わる螺旋形のトラックまたはレールを内部に備える。
その内側に、前記トラックまたはレールの存在から始まる垂直で回転運動をする２つのＹ型の金属的な部品を備えた円筒状部品があるので、円筒状部品内部で水平にスライドし、２つのばね動作のため、突起の形でその端に押圧されない限り前記部品の接合を防止する。
【００２０】
上述した円筒状部品が管を通して下に垂直に摺動するので、注射器により生成される圧力のために行われる運動は、それが下がると針を逆時計回りまたは時計回りの方向に回転させる。トラックまたはレールが傾けられ、適所に注射器を保つ方向にしたがって、管の上部から下部まで移動している針は、その進路でばねを押圧する。円筒状部品のこの垂直かつ下方への経路の間、前記「Ｙ」型の部品は、突起の反対側にその端で接続され、管の下部に到着すると、円筒状部品への注射器の圧力が終わることを指し示すのに必要である突起はばねからの力のためのスリットまたは穴を通して突出する。そして、針は、従って注射器から抜かれ、ばねの下方への力は、円筒状部品を再び上部または停止位置まで上がらせ、針を抜くための類似した動作の実行を再び許容する。
【００２１】
前記部品が管を通して下がる場合、他の管が円筒状部品の突起または複数の突起が、突起の反対側の端から最大限に切り離される１つまたは２つのまっすぐで中空の平行レールを管の一方のみ、または、その両方に有するので、円筒状部品は回転を防止できる。このように、円筒状部品は、いかなる種類もの「ネジ留め式」システムでない針、および、管の内部の針の回転を実行することなく上方または下方への運動を実行する。そして、前述のように、内側に傾斜したレールまたはトラックのシステムが提供される。
【００２２】
この全ての下方への処理において、回転するソリッド接点が管の下部にあるように提供されるので、円筒状部品は処理される針を抜く。
【００２３】
同様に、鋭利な物体は前に開示された機構により処理され、鋭くない物体、例えば注射器はオゾンまたは紫外線弁で殺菌される。この弁は、電池または変圧器により供給される。この弁は、この種の材料を集めるため、隣接した容器において、配置され、一旦この材料が異なる弁にさらされると、それは完全に殺菌される。
【００２４】
作成された説明を補足し、かつ、本発明の特徴のよりよい理解を補助するために、一組の図面をその不可欠な部分として本願明細書に添付し、例証および非制限的な特徴として以下に示す。
【００２５】
（本発明の好ましい実施態様）
図７以下に、静脈穿刺針などの自動針外し手段を備えた鋭利な物体処理装置が、（１）により参照される一般的な本体として構成され、後方部分における針のない注射器のための容器（２）と、針のない注射器のための容器保管場所に組み込まれる（３）で参照される下部における容器（示されも参照もされていない）を有する引き出しとを示して、どのように構成されるかを確認できる。そこには、本出願による好ましくはボール紙、テトラパック、または適切な厚みを備えたプラスチック製の袋からできている追加の補助容器（７０）がある。
【００２６】
本発明は、鋭利な物体を導くための開口部として用いられる活性炭フィルタ（４）およびスリット（５）を備えている。
【００２７】
一般に（４０）で参照される鋭利な物体の処理は、図１３で示されるように実行される。円筒状部品（４３）は、注射器（９３）により押圧され、後者は下方に移動し、その移動で、歯状部品（９２）をスライドさせ、歯車（９０）を回転させ、ばね（４７）を押圧する。このように、図９および１２で見られるように、そこには軸（２５）および（２５’）によって、ブラシ（２８）および（２９）により電流を提供するソリッド接点（２６）および（２７）に運動を与える小歯車（２３）および（２４）を順番に作動させる歯車（９０’）が箱（２０）の下部にある。
【００２８】
第二の実施態様においては、図９に示すように、物体（４０）の処理は、ブラシ（１１）および（１２）、次いで導線（１３）および（１４）により電流を提供するソリッド接点（９）および（１０）を動かす１つまたは２つのモータ、モータ（６）および（６’）だけにより実行される。
【００２９】
本発明は、ソリッド接点（２６）、（２７）の上部に位置し、かつ、箱（２０）に組み込まれる管または煙突（３０）をその内側に備えている。管または煙突（３０）は、鋭利な物体（４０）を溶かすことにより生成されるガスの排気を容易にすることを目的としている。ガスは、有害な分子の通過を妨げる活性炭フィルタ（４）が組み込まれている管または煙突（３０）の上部に留まる。溶解により生じる熱の効果による分子は、管または煙突(３０）を上昇する。この管または煙突(３０）には、フィルタ（４）を管または煙突（３０）に取り付けるために、中空のネジ留め式カバー（３２）が、管または煙突（３０）の上端部に取り付けられている。
【００３０】
図８に示されるように、垂直な管または煙突（３０）の４５度の位置に、その内部機能を理解するために、図２により明確に示されている別の管があることを指摘しなければならない。
【００３１】
前記図２に続いて、当該管は、２つの補完的な部品（４１）および（４１'）から形成されており、処理される針をソリッド接点へ導く導管として役立ち、いわゆる「ネジ留め式の」注射器から針を抜く手段を有することが示されている。なぜなら、針がその首への圧力によりこれらの注射器に連結されないか、導かれないので、むしろネジ留めが必要とされる。
【００３２】
前記の補完的な部品（４１）および（４１'）により形成される管は、内側に螺旋状のトラックまたはレール（４２）を備えており、このトラックは、部品の内部の両方に始まりと終わりを有しており、さらに、このように形成された管の内部に、円筒状部品（４３）を備えている。そして、この円筒状部品は垂直に運動し、管を構成している胴部（４１）および（４１'）の内部で回転すると同時に、トラックまたはレール（４２）によってつくられる効果により回転する。円筒状部品（４３）は、以下に示すように、その内部に、２つのＹ型の金属部品（４５）および（４５'）があり、これらは２つのばね（４６）および（４６'）のそれぞれの働きにより、部品（４３）の中を水平に摺動し、それらの端または突起によって、押圧するように保たれない限り、金属部品（４５）および（４５'）が接合するのを防止している。
【００３３】
円筒状部品（４３）が注射器（９３）の圧力によって、部品（４１）および（４１'）を通じて下がると、円筒状部品は、最高部から最低部に下がるように、その経路でばね（４７）を押圧して、逆時計回りに回転する。そして、この経路の間、垂直下方向における円筒状部品（４３）は、図３に示すように、突起の反対側の端が互いに当接してとどまり、管の最低部に届くと図４または６に示すように管の中で分離しそれぞれ（４５）および（４５'）で参照される「Ｙ」形状の部品を形成する。突起は、ばね（４６）および（４６'）の動きの結果として、開口部（４４）および（４４'）をそれぞれ通じて外側に突出する。
【００３４】
円筒状部品（４３）に対する注射器によって、つくられた圧力が止まり、針（４０）が注射器から抜かれたならば、ばね（４７）の上方への力は、その作動が開始する前に円筒状部品を再び上昇および停止位置まで上げる。
【００３５】
この完全な円筒状部品（４３）の下方への運動において、針（４０）を抜く処理がなされることが示されなければならない。針はまた、管の下部に位置する回転するソリッド接点により処理される。
【００３６】
図８に示すように、針（４０）の処理およびその自動針抜きは、針が穿孔または孔(５)に侵入するにつれて起こる。部品（４５）および（４５'）の突起が、管の内壁に対して押圧されるレール（４２）上に部品（４１）および（４１'）により形成された管内側に配置されるので、部品（４３）は、下方に注射器により押圧されると、逆時計回り方向に回転し始め、ソリッド接点（２６）および（２７）に接近すると、針（４０）を抜いて、処理する。そして、部品（４３）の下方への運動過程の間、針は、部品（４５）および（４５'）により押圧または保持される。
【００３７】
図６に示されるように、一旦、円筒状部品(４３)がその進路の端まで下がったならば、部品（４５）および（４５'）の突起は、ばね（４６）および（４６'）の動作のため穿孔または穴（４４）および（４４'）を通じて、外側に突出する。
【００３８】
このように、針円錐が接点（２６）および（２７）により処理され、かつ、注射器の下端から針を抜くと、前述のように、いかなる種類でもいい容器（７０）に入れられる。容器（７０）は、あげ蓋（６２）およびグリップ（６３）を備え、図１０または１１に示すように、装置の後方にそれを固定するため、同様にいくつかのガイド（６１）および（６１'）を備えたカバー（６０）を有する容器（２）に組み込まれる。
【００３９】
同時に、注射器は部品（４３）を押圧するのを止めると、後者は、ばね（４７）により生成される力のために、時計回り方向に回転して再び上昇し、部品（４１）および（４１'）により形成される管の上部のその停止位置に到達する。
【００４０】
引き出し（３）は、その中に剛性プラスチック材から製造された使い捨てのコンテナを有し、そこに微粉状にされた金属の残渣を導く。
【００４１】
本発明は、モータおよび接点を供給する関連する電気変圧器または電池（５４）を備える。そこにおいて、図１に示すように、モータが省略されているので接触のみで適用できる。
【００４２】
図１４に示すように、針外し管の他の異型がまた、配置されることができる。この場合、円筒状部品（４３）は、部品（４５）および（４５'）は、ランプ（９５）を通じてレールに入らないので、管（４１）のいかなるタイプに回転を引き起こすことなく垂直に上下に移動できる。または、このランプを通じて入り、そして、下がる。図面で分かるように、ランプ（９６）を通じて突出するような突起（４５）のため、レール（４２）上で時計回り方向に回転し、１８０度だけ回転する。換言すれば、部品（４３）が管の下部にある場合、９０度回転し、そして、それが再び上がる場合、それはまた９０度回転する。
【００４３】
また、図１５に見ることができる他の異型がある。そこにおいて、円筒状部品（４３）の上方および下方への動きにより生成される効果は、図１６に示されるように、可動突起（４５）および他の固定されたもの（４５'）のみがあるということを除いて、図１４に記載と同様である。円筒状部品（４３）がランプ（９５）上に入り回転し、かつ、下方へ移動する場合、時計回り方向にレール（４２）を３６０度回転する。換言すれば、部品（４３）が管の下部にある場合、１８０度回転し、そして、それが再び上がる場合、また１８０度回転する。
【００４４】
最後に、引き出し容器が、図１７、１８および１９に示すように開示される。そこで、これらの図に示されるように、ドア（６５）が閉じる場合、ボール紙容器（７１）において、配置される注射器を殺菌するため、容器（７２）の下部にオゾンまたは紫外線弁（５５）を導くという利点について以外すべての前述の通り紹介された。
【図面の簡単な説明】
【００４５】
【図１】歯車を作動させる手段、および、ガス排気のための他の管またはシュートを備えた鋭利な物体の処理装置に関する本発明の目的の展開図を示す。
【図２】作用位置において、その内部の円筒状部分、および、いわゆる「Ｙ」部分を有する管状体の内側領域の断面図を示す。
【図３】ばねを作用位置または閉じた位置に担持する円筒状部分の斜視図を示す。
【図４】図３におけるものと類似した図を示し、いわゆる「Ｙ」金属部分が停止または開いている。
【図５】図３および４に示される物体の平面図を示す。
【図６】再び図２において、示された物体の図を示すが、「Ｙ」部分は停止状態にある。
【図７】上部領域からの本発明の目的の斜視図を示す。
【図８】注射器コンテナを示さずに、図７において、示された物体の順当に切断された側の立面図を示す。
【図９】２つのモータおよび強力な接触したそれらの作動を示している管の内部の分解図を示す。
【図１０】針のない注射器を含む保管所の斜視図を示す。そこに、内部に入るためのグリップを有するドアを見ることが可能である。
【図１１】内部のアクセス・カバーが開いている図１０に示された物体の図を示す。そこで、一杯になったら取り除かれて、他のものと取り替えられるボール紙容器が注射器を収容しているのを見ることできる。
【図１２】図１の管を示すが、その内部から見た図を示す。そこで、針を処分しているギアおよび一体の接触が見ることができる。
【図１３】上または下に動く場合、連動する部分により歯車を動かせ、この歯車が順番にいかなるタイプのモータもなしでソリッド接点を作成するその進路において、円筒状部分により実行される異なる位置を示す。
【図１４】その内部に可動突起が収容され、かつ、上方および下方への進路における１８０度の回転を実行する進路における円筒状部分により実行される異なる位置を示す。
【図１５】その内部に可動突起および固定した他のものが収容され、かつ、上方および下方への進路における３６０度の回転を実行する進路における円筒状部分により実行される異なる位置を示す。
【図１６】停止および作動位置における可動突起および固定した他のものを有する円筒状部分の斜視図を示す。
【図１７】機械用容器の斜視図を示す。
【図１８】機械用容器の断面側面図を示す。そこで、その内部に、管、引き出し、オゾン弁および注射器廃棄のためのボール紙容器を見ることができる。
【図１９】上部における機械用部分のカバーが、その内側でボール紙容器を有するプラスチック容器と分離した機械用容器の内部の斜視図を示す。
【図１】
2005500140.tif 000003
【図２】
2005500140.tif 000004
【図３】
2005500140.tif 000005
【図４】
2005500140.tif 000006
【図５】
2005500140.tif 000007
【図６】
2005500140.tif 000008
【図７】
2005500140.tif 000009
【図８】
2005500140.tif 000010
【図９】
2005500140.tif 000011
【図１０】
2005500140.tif 000012
【図１１】
2005500140.tif 000013
【図１２】
2005500140.tif 000014
【図１３】
2005500140.tif 000015
【図１４】
2005500140.tif 000016
【図１５】
2005500140.tif 000017
【図１６】
2005500140.tif 000018
【図１７】
2005500140.tif 000019
【図１８】
2005500140.tif 000020
【図１９】
2005500140.tif 000021
【国際公開パンフレット】
2005500140.tif 000022
2005500140.tif 000023
2005500140.tif 000024
2005500140.tif 000025
2005500140.tif 000026
2005500140.tif 000027
2005500140.tif 000028
2005500140.tif 000029
2005500140.tif 000030
2005500140.tif 000031
2005500140.tif 000032
2005500140.tif 000033
2005500140.tif 000034
2005500140.tif 000035
2005500140.tif 000036
2005500140.tif 000037
2005500140.tif 000038
2005500140.tif 000039
2005500140.tif 000040
2005500140.tif 000041
2005500140.tif 000042
2005500140.tif 000043
2005500140.tif 000044
2005500140.tif 000045
2005500140.tif 000046
2005500140.tif 000047
2005500140.tif 000048
2005500140.tif 000049
【国際調査報告】
2005500140.tif 000050
2005500140.tif 000051
2005500140.tif 000052
2005500140.tif 000053